(57)【特許請求の範囲】
【請求項１】
身頃部及び一対の脇下部汗取りパッドを含む上半身用衣類であって、
前記パッドは、左右両側に側辺を有し、
前記パッドの前記両側側辺の上部が、それぞれ前記身頃部の脇刳り部周縁に取り付けられ、
前記パッドの下端部が、前記脇刳り部よりも下側で前記身頃部に取り付けられ、
前記パッドの左右両側の側辺の少なくとも一方において、前記上部の取り付け部を除いて前記身頃部に取り付けられていないことにより、前記上部の取り付け部及び前記パッドの下端部の取り付け部の間の前記パッド部分が、前記身頃部から遊離可能になっており、
前記遊離可能な部分と、前記遊離可能な部分に対応する身頃部との間に、通気部が形成されていることを特徴とする上半身用衣類。
【請求項２】
前記通気部が形成されている位置において、前記脇下部汗取りパッドに刳り部が形成されていることを特徴とする請求項１記載の上半身用衣類。
【請求項３】
前記通気部が、着用時における後側に設けられていることを特徴とする請求項１または２記載の上半身用衣類。
【請求項４】
前記身頃部が、前身頃及び後身頃を含み、
前記脇下部汗取りパッドの下端部は、前記前身頃と前記後身頃との固着線である脇線上に固着されていることを特徴とする請求項１から３のいずれか一項に記載の上半身用衣類。
【請求項５】
前記衣類が、袖付き衣類であることを特徴とする請求項１から４のいずれか一項に記載の上半身用衣類。
【発明の詳細な説明】
【技術分野】
【０００１】
本発明は、上半身用衣類に関する。
【背景技術】
【０００２】
従来から、脇の下の汗を吸収する汗取りパッドを有する衣類がある。例えば、特許文献１では、衣類の袖付けラインに、汗取りパッドの縫付けラインを位置合わせして前記汗取りパッドを縫付け、前記汗取りパッドの下端部を、前記衣類の身頃部の脇線に縫い止め、縫付けた前記汗取りパッドの上縁には腕が嵌る開口を形成した衣類が提案されている。また、例えば、特許文献２では、汗取りパッドの湾曲形状の下端が、衣類の胴部と袖部との境界に固定され、身体に装着した時に、前記汗取りパッドが前記胴部と前記袖部との境界により前後方向に引っ張られて、脇に向かって立ち上がる袖付き衣類が提案されている（以下「袖付き衣類１」という。）。一方、前記特許文献２には、脇下付近において清涼感を得ることができるようにするために、前記汗取りパッドの下端と、前記胴部と前記袖部との境界に形成された縫合部との間に、空間を有する袖付き衣類が提案されている（以下「袖付き衣類２」という。）。
【先行技術文献】
【特許文献】
【０００３】
【特許文献１】実用新案登録第３１７２０２４号公報
【特許文献２】特許第４９３６４７３号公報
【発明の概要】
【発明が解決しようとする課題】
【０００４】
しかし、前記特許文献１の衣類及び前記特許文献２の袖付き衣類１では、脇の下に前記汗取りパッドがフィットして汗を吸収しやすいものの、脇の下に熱がこもり、通気性が悪いという問題があった。一方、前記特許文献２の袖付き衣類２では、前記汗取りパッドの下端と、前記胴部と前記袖部の境界に形成された前記縫合部との間に空間が設けられていることにより、通気性が良くなる反面、前記汗取りパッドの面積が狭くなって汗を吸収する効果が低くなるという問題があった。【０００５】
そこで、本発明は、効果的に脇の下の汗を吸収可能であり、かつ、通気性がよい、上半身用衣類を提供することを目的とする。
【課題を解決するための手段】
【０００６】
前記目的を達成するために、本発明の上半身用衣類は、
身頃部及び一対の脇下部汗取りパッドを含む上半身用衣類であって、
前記パッドは、左右両側に側辺を有し、
前記パッドの前記両側側辺の上部が、それぞれ前記身頃部の脇刳り部周縁に取り付けられ、
前記パッドの下端部が、前記脇刳り部よりも下側で前記身頃部に取り付けられ、
前記パッドの左右両側の側辺の少なくとも一方において、前記上部の取り付け部を除いて前記身頃部に取り付けられていないことにより、前記上部の取り付け部及び前記パッドの下端部の取り付け部との間の前記パッド部分が、前記身頃部から遊離可能になっており、
前記遊離可能な部分と、前記遊離可能な部分に対応する身頃部との間に通気部が形成されていることを特徴とする。
【発明の効果】
【０００７】
本発明の上半身用衣類は、前記のような構成であるため、効果的に脇の下の汗を吸収可能であり、かつ、通気性がよい。
【図面の簡単な説明】
【０００８】
【図１】図１は、本発明の第１の実施形態に係る袖付き衣類１００を示す図である。図１（ａ）は、衣類１００の正面図であり、図１（ｂ）は、衣類１００を図１（ａ）におけるＩ−Ｉ方向に見た断面図である。
【図２】図２は、前記第１の実施形態に係る袖付き衣類１００の汗取りパッドを示す図である。
【図３】図３は、前記第１の実施形態に係る袖付き衣類１００におけるパッド１０３の取り付け状態を説明する図である。図３（ａ）は、衣類１００の展開図であり、図３（ｂ）は、衣類１００を裏返した状態の概略側面図である。図３（ｃ）は、通気部１０５を、図３（ｂ）における矢印の方向から見た拡大図である。
【図４】図４は、前記第１の実施形態に係る袖付き衣類１００における、空気の通り方を説明する図である。
【図５】図５は、本発明の第２の実施形態に係る袖付き衣類２００を示す図である。図５（ａ）は、衣類２００の正面図であり、図５（ｂ）は、衣類２００を図５（ａ）におけるＩＩ−ＩＩ方向に見た断面図である。
【図６】図６は、前記第２の実施形態に係る袖付き衣類２００におけるパッド２０３の取り付け状態を説明する図である。図６（ａ）は、衣類２００の展開図であり、図６（ｂ）は、衣類２００を裏返した状態の概略側面図である。
【図７】図７は、前記第２の実施形態に係る袖付き衣類２００の汗取りパッドを示す図である。
【図８】図８は、本発明の第３の実施形態に係る袖付き衣類３００を示す図である。図８（ａ）は、衣類３００の正面図であり、図８（ｂ）は、衣類３００を図８（ａ）におけるＩＩＩ−ＩＩＩ方向に見た断面図である。
【図９】図９は、前記第３の実施形態に係る袖付き衣類３００におけるパッド３０３の取り付け状態を説明する図である。図９（ａ）は、衣類３００の展開図であり、図９（ｂ）は、衣類３００を裏返した状態の概略側面図である。
【図１０】図１０（ａ）及び（ｂ）は、前記第３の実施形態に係る袖付き衣類３００の汗取りパッドを示す図である。
【図１１】図１１は、本発明の第４の実施形態に係る袖付き衣類４００を示す図である。図１１（ａ）は、衣類４００の展開図であり、図１１（ｂ）は、衣類４００を裏返した状態の概略側面図である。
【図１２】図１２は、本発明の第５の実施形態に係る袖付き衣類５００を示す正面図である。
【図１３】図１３は、前記第５の実施形態に係る袖付き衣類５００におけるパッド５０３の取り付け状態を説明する図である。図１３（ａ）は、衣類５００の展開図であり、図１３（ｂ）は、衣類５００を裏返した状態の概略側面図である。
【図１４】図１４（ａ）及び（ｂ）は、本発明における、ラグランスリーブの場合のパッドの取り付け状態のバリエーションを示す図である。
【図１５】図１５（ａ）及び（ｂ）は、本発明における、ラグランスリーブの場合のパッドの取り付け状態のバリエーションを示す図である。
【図１６】図１６（ａ）及び（ｂ）は、本発明における、ラグランスリーブの場合のパッドの取り付け状態のバリエーションを示す図である。
【図１７】図１７は、本発明の第６の実施形態に係る袖付き衣類９００を示す図である。図１７（ａ）は、衣類９００の展開図であり、図１７（ｂ）は、衣類９００を裏返した状態の概略側面図である。
【図１８】図１８は、本発明の第７の実施形態に係るタンクトップ１０００を示す図である。図１８（ａ）は、タンクトップ１０００の正面図であり、図１８（ｂ）は、タンクトップ１０００の側面図である。
【図１９】図１９は、前記第７の実施形態に係るタンクトップ１０００におけるパッド１００３の取り付け状態を説明する図である。図１９（ａ）は、タンクトップ１０００の展開図であり、図１９（ｂ）は、タンクトップ１０００を裏返した状態の概略側面図である。
【図２０】図２０は、本発明の第８の実施形態に係るキャミソール１１００を示す図である。図２０（ａ）は、キャミソール１１００の正面図であり、図２０（ｂ）は、キャミソール１１００の側面図である。
【図２１】図２１は、前記第８の実施形態に係るキャミソール１１００におけるパッド１１０３の取り付け状態を説明する図である。図２１（ａ）は、キャミソール１１００の展開図であり、図２１（ｂ）は、キャミソール１１００を裏返した状態の概略側面図である。
【図２２】図２２は、前記第９の実施形態に係る袖付き衣類１２００におけるパッド１２０３の取り付け状態を説明する図である。図２２（ａ）は、衣類１２００の展開図であり、図２２（ｂ）は、衣類１２００を裏返した状態の概略側面図である。
【図２３】図２３は、前記第９の実施形態に係る袖付き衣類１２００の汗取りパッドを示す図である。
【図２４】図２４は、前記第９の実施形態に係る袖付き衣類１２００の汗取りパッドを示す図である。
【図２５】図２５は、前記第９の実施形態に係る袖付き衣類１２００の汗取りパッドを示す図である。
【発明を実施するための形態】
【０００９】
本発明の上半身用衣類について、例をあげて説明する。ただし、本発明は、以下の例に限定及び制限されない。また、各実施形態の記載は、それぞれ、特に示さない限り、他の実施形態において援用できる。各図において、特に示さない限り、同一の部位には、同一の符号を付している。
【００１０】
（第１の実施形態）
図１に、本発明の第１の実施形態に係る袖付き衣類１００を示す。本実施形態において、袖付き衣類１００は、半袖の肌着である。図１（ａ）は、衣類１００の正面図であり、図１（ｂ）は、衣類１００を図１（ａ）におけるＩ−Ｉ方向に見た断面図である。図１（ａ）及び（ｂ）に示すように、本実施形態の衣類１００は、身頃部１０１、袖部１０２及び一対の脇下部汗取りパッド１０３を含む。本実施形態において、身頃部１０１は、前身頃１０１Ａ及び後身頃１０１Ｂを含んでいる。
【００１１】
図２に、本実施形態に係る衣類１００の汗取りパッド（以下「パッド」ともいう。）１０３の図を示す。図２に示すように、本実施形態において、パッド１０３は、左右両側に側辺Ｌ及びＭを有する。ここで、「左右」とは、着用状態における右腕方向から見た左右でも、左腕方向から見た左右でもよい。以下、本発明において、パッドの着用時における前側（本実施形態では前身頃側）となる側辺を側辺Ｌとし、パッドの着用時における後側（本実施形態では後身頃側）となる側辺を側辺Ｍとする。本実施形態において、パッド１０３は、例えば、吸汗性及び生地の強度を高めるため、生地を二つ折りにして二層の生地で形成されているが、本発明はこれに限られず、二層以上の生地でパッドが形成されてもよいし、生地一枚（一層の生地）でパッドが形成されていてもよい。なお、図２に示すパッド１０３は、本実施形態において好ましく用いることができるパッドの一例であり、本発明で使用できるパッドの形状は、これに限定されない。
【００１２】
図３に、本実施形態の衣類１００におけるパッド１０３の取り付け状態を説明する図を示す。図３（ａ）は、衣類１００の展開図であり、具体的には、衣類１００の着用時に肌側となる裏面の展開図である。図３（ｂ）は、衣類１００を裏返した状態の概略側面図である。図３（ａ）及び（ｂ）では、パッド１０３の取り付け状態をわかりやすくするため、袖部１０２は省略している。また、図３（ａ）の展開図では、一方のパッドは省略している。
【００１３】
本実施形態では、パッド１０３の両側の側辺Ｌ及びＭの上部が、それぞれ身頃部１０１の脇刳り部１０４の周縁に取り付けられている。本実施形態において、パッド１０３の両側の側辺Ｌ及びＭの上部における脇刳り部１０４周縁への取り付け部は、図３（ｂ）に符号Ｌ１及びＭ１で示す部分である。本実施形態において、パッド１０３は、パッド１０３の上側（上方向）に腕が通る開口部を有するように取り付けられている。そして、本実施形態では、パッド１０３の下端部Ｔが、脇刳り部１０４よりも下側で、身頃部１０１に取り付けられている。ここで、「上」「下」とは、着用状態における上下方向をいう。なお、本実施形態では、「パッド１０３の下端部」とは端点Ｔをいうが、本発明において、「パッドの下端部」とは、パッドの下端点及びその周辺部を含む。
【００１４】
本実施形態では、前述のように、パッド１０３の両側の側辺Ｌ及びＭの上部が、それぞれ脇刳り部１０４の周縁に取り付けられていることから、袖部１０２に腕を通して着用した際、パッド１０３の上辺部Ｓが脇に突き当たり、腕を下ろした状態でパッド１０３が脇に挟まれるようになる。そのため、パッド１０３が脇にフィットし、脇の下の汗を逃すことなく吸収することができる。また、本実施形態では、前述のように、パッド１０３の下端部Ｔが脇刳り部１０４よりも下側で身頃部１０１に取り付けられるため、パッドの下端部Ｔが脇刳り部１０４に取り付けられている場合と比較して、パッドの面積が広くなっている。そのため、パッド１０３が汗を吸収できる量が多くなる。このように、本実施形態の衣類１００によれば、効果的に脇の下の汗を吸収することができる。
【００１５】
本実施形態において、パッド１０３の側辺Ｍは、前記上部の取り付け部Ｍ１を除いて身頃部１０１に取り付けられていない。そのため、前記上部の取り付け部Ｍ１と下端部Ｔとの間のパッド部分Ｍ２が、身頃部１０１から遊離可能となっている。これにより、図３（ｃ）に示すように、パッド１０３の前記遊離可能な部分Ｍ２と、前記遊離可能な部分Ｍ２に対応する身頃部１０１との間に、通気部１０５が形成されている。図３（ｃ）は、通気部１０５を図３（ｂ）における白抜き矢印の方向から見た拡大図である。なお、本発明において、遊離可能なパッド部分が身頃部から遊離していない状態も「通気部」という。
【００１６】
本実施形態では、パッド１０３において、身頃部１０１の脇刳り部１０４に固着されている部分は、両側の側辺における取り付け部Ｌ１及びＭ１のみである。そのため、図３（ｂ）に１０４Ａで示す部分では、パッド１０３が脇刳り部１０４から遊離している。そして、本実施形態では、前述のとおり、パッド１０３の側辺Ｍ側において通気部１０５が形成されている。これにより、本実施形態では、図４に示すように、通気部１０５を通して脇の下の熱を脇刳り部１０４から逃がすことができ、また、脇刳り部１０４から脇の下へ空気を取り入れることができる。このように、本実施形態の衣類１００は、効果的に脇の下の汗を吸収し、かつ、通気性もよい。
【００１７】
本実施形態では、パッドの側辺Ｌの上部における取り付け部Ｌ１とパッドの下端部Ｔとの間の部分は、身頃部１０１に固着されている。本実施形態における側辺Ｌの取り付け態様については、後述する。
【００１８】
本実施形態では、パッド１０３の後身頃１０１Ｂ側の側辺Ｍにおいて、パッド１０３のパッド部分Ｍ２が身頃部１０１から遊離可能となって、通気部１０５が形成されているが、本発明はこれに限定されない。本発明では、パッドの側辺Ｌに身頃部から遊離可能な部分を設けて、通気部を形成してもよいし、パッドの側辺Ｌ及びＭの両側に身頃部から遊離可能な部分を設けて、通気部を形成してもよい。本発明では、パッドの両側の側辺の少なくとも一方において、前記パッドの上部の取り付け部と前記パッドの下端部の取り付け部との間のパッド部分を身頃部から遊離可能とし、通気部を形成すれば、衣類における通気性をよくすることができる。
【００１９】
図２に示すように、本実施形態では、通気部１０５が形成されている位置において、パッド１０３に刳り部１０６が形成されている。このように、通気部が形成されている位置において、パッドを刳り形状に形成することにより、空気が通りやすくなり、より通気性がよくなるため、好ましい。
【００２０】
本実施形態では、通気部１０５が、着用時における後側に形成されている。そして、通気部１０５の位置に対応して、パッド１０３における刳り部１０６も後側に形成されている。そのため、本実施形態では、パッド１０３の前側には刳り部がなく、パッド１０３の前側の面積が広くなっている。人体の脇の形状及び汗腺の位置を考慮した場合、本実施形態のように、脇の前側においてパッドの面積を広く取り、汗を多く吸収できるようにする方が好ましい。ただし、本発明は、これに限られず、通気部は、着用時における前側に設けてもよいし、前側及び後側の両方に設けてもよい。
【００２１】
本実施形態において、パッド１０３の下端部Ｔは、図３（ｂ）に示すように、前身頃１０１Ａと後身頃１０１Ｂとの固着線である脇線Ｗ上に固着されている。このように、パッド１０３の下端部Ｔの身頃部１０１への固着位置を、前身頃１０１Ａと後身頃１０１Ｂとの固着線である脇線Ｗと合わせることによって、衣類の外側からパッドの固着線を目立たなくさせることができるため、好ましい。ただし、本発明は、これに限られず、パッドの下端部が、脇線以外の部分に固着されていてもよい。
【００２２】
本発明において、パッドの下端部は、脇刳り部よりも下側で身頃部に取り付けられていればよく、その取り付け位置は特に限定されないが、例えば、脇刳り部から３ｃｍ〜１５ｃｍ下側であることが好ましく、より好ましくは５ｃｍ〜１０ｃｍ下側である。
【００２３】
本発明において、パッドは、吸汗性が高い素材で形成されていることが好ましい。本発明において、パッドに使用できる素材としては、例えば、綿とポリエステルとの混合素材、アクリルとナイロンとの混合素材、その他、疎水性の生地と親水性の生地とから成る素材等が挙げられる。また、毛細管現象によって速乾性を発揮する編組織を編み込んだ生地、又は毛細管現象によって速乾性を発揮する構造を有する糸を編み込んだ生地等を用いてもよい。本発明において、パッドとパッド以外の衣類の部分とは、同じ生地で形成されていても良いし、異なる生地で形成されていてもよい。ただし、パッド及びパッド以外の衣類の部分を、ともに吸汗性の高い同じ生地で形成することにより、衣類全体の吸汗性が高まるため、好ましい。
【００２４】
本実施形態では、パッド１０３の側辺Ｌの全体が身頃部１０１に固着されている。このように、パッドの両側の側辺のいずれか一方について、全体を身頃部に固着することにより、着用状態におけるパッドの位置が安定するため、好ましい。
【００２５】
本実施形態において、パッド１０３の側辺Ｌは、直線状である。そして、本実施形態では、図３（ａ）の展開図に示すように、前身頃１０１Ａと後身頃１０１Ｂとの脇線Ｗが前身頃側に傾斜しており、パッド１０３の側辺Ｌは、脇線Ｗの傾斜に合わせて傾斜するように形成されている。これにより、前身頃１０１Ａと後身頃１０１Ｂとを縫合する際に、パッド１０３の側辺Ｌを同時に縫合することができ、かつ、その縫合箇所を直線状にすることができるため、作製効率の面で好ましい。なお、ここでは、前身頃１０１Ａ、後身頃１０１Ｂ及びパッド１０３の側辺Ｌを縫着によって固着する方法を例に挙げて説明したが、本発明はこれに限られず、例えば、熱融着又は接着等で固着してもよい。
【００２６】
本発明において、袖部の態様は特に制限されない。本発明において、袖部は、例えば、一分袖、二分袖、三分袖等の半袖でもよいし、例えば、七部袖、八分袖等の長袖であってもよい。また、本実施形態では、袖付き衣類を例にあげて説明したが、本発明は、例えば、袖部を有さないタンクトップ及びキャミソールにも適用することができる。
【００２７】
（第２の実施形態）
図５に、本発明の第２の実施形態に係る袖付き衣類２００を示す。本実施形態において、袖付き衣類２００は、半袖の肌着である。図５（ａ）は、衣類２００の正面図であり、図５（ｂ）は、衣類２００を図５（ａ）におけるＩＩ−ＩＩ方向に見た断面図である。図５（ａ）及び（ｂ）に示すように、本実施形態の衣類２００は、身頃部２０１、袖部２０２及び一対の脇下部汗取りパッド２０３を含む。本実施形態において、身頃部２０１は、前身頃２０１Ａ及び後身頃２０１Ｂを含んでいる。
【００２８】
図６に、本実施形態の衣類２００におけるパッド２０３の取り付け状態を説明する図を示す。図６（ａ）は、衣類２００の展開図であり、具体的には、衣類２００の着用時に肌側となる裏面の展開図である。図６（ｂ）は、衣類２００を裏返した状態の概略側面図である。図６（ａ）及び（ｂ）では、パッド２０３の取り付け状態をわかりやすくするため、袖部２０２は省略している。また、図６（ａ）の展開図では、一方のパッドは省略している。
【００２９】
図６（ａ）及び（ｂ）に示すように、本実施形態では、着用時における前側に、通気部２０５が形成されている。具体的には、本実施形態では、パッド２０３の前身頃側の側辺Ｌが、前記上部の取り付け部Ｌ１を除いて身頃部２０１に取り付けられていない。そのため、前記上部の取り付け部Ｌ１と下端部Ｔとの間のパッド部分Ｌ２が、身頃部２０１から遊離可能となっている。これにより、パッド２０３の前記遊離可能な部分Ｌ２と、前記遊離可能な部分Ｌ２に対応する身頃部２０１との間に、通気部２０５が形成されている。図７に、本実施形態に係る衣類２００のパッド２０３の拡大図を示す。図７に示すように、本実施形態では、通気部２０５が設けられている位置において、パッド２０３に刳り部２０６が形成されている。
【００３０】
また、本実施形態では、パッド２０３の後身頃側の側辺Ｍは、その全体が身頃部２０１に取り付けられている（固着ともいう）。本実施形態では、パッド２０３の後身頃側の側辺Ｍが、直線状である。そして、図６（ａ）の展開図に示すように、前身頃２０１Ａと後身頃２０１Ｂとの脇線Ｗが後身頃側に傾斜しており、パッド２０３の側辺Ｍは、脇線Ｗの傾斜に合わせて傾斜するように形成されている。その他は、前記第１の実施形態と同様である。
【００３１】
このように、本発明では、デザイン等に応じて通気部を着用時における前側に形成してもよい。
【００３２】
（第３の実施形態）
図８に、本発明の第３の実施形態に係る袖付き衣類３００を示す。本実施形態において、袖付き衣類３００は、半袖の肌着である。図８（ａ）は、衣類３００の正面図であり、図８（ｂ）は、衣類３００を図８（ａ）におけるＩＩＩ−ＩＩＩ方向に見た断面図である。図８（ａ）及び（ｂ）に示すように、本実施形態の衣類３００は、身頃部３０１、袖部３０２及び一対の脇下部汗取りパッド３０３を含む。本実施形態において、身頃部３０１は、前身頃３０１Ａ及び後身頃３０１Ｂを含んでいる。
【００３３】
図９に、本実施形態の衣類３００におけるパッド３０３の取り付け状態を説明する図を示す。図９（ａ）は、衣類３００の展開図であり、具体的には、衣類３００の着用時に肌側となる裏面の展開図である。図９（ｂ）は、衣類３００を裏返した状態の概略側面図である。図９（ａ）及び（ｂ）では、パッド３０３の取り付け状態をわかりやすくするため、袖部３０２は省略している。また、図９（ａ）の展開図では、一方のパッドは省略している。
【００３４】
図９（ａ）及び（ｂ）に示すように、本実施形態では、着用時における前側及び後側の両方に、通気部３０５が形成されている。具体的には、本実施形態では、パッド３０３が、両側の側辺Ｌ及びＭを有し、側辺Ｌの上部Ｌ１及び側辺ＭのＭ１が、それぞれ身頃部３０１の脇刳り部３０４の周縁に取り付けられ、パッド３０３の下端部Ｔが、脇刳り部３０４よりも下側で身頃部３０１に取り付けられている。そして、本実施形態では、パッド３０３の側辺Ｌ及びＭの両側において、前記上部の取り付け部Ｌ１及びＭ１を除いて身頃部３０１に取り付けられていない。そのため、前記上部の取り付け部Ｌ１及びＭ１と下端部Ｔとの間のパッド部分Ｌ２及びＭ２が、身頃部３０１から遊離可能となっている。これにより、パッド３０３の前記遊離可能な部分Ｌ２及びＭ２と、前記遊離可能な部分Ｌ２及びＭ２に対応する身頃部３０１との間に、それぞれ通気部３０５が形成されている。このように、通気部３０５を着用時における前側及び後側の両方に設けることにより、通気性をより高めることができる。また、本実施形態において、パッド３０３が脇の下にフィットし、脇の下の汗を効果的に吸収できることは、前記第１及び第２の実施形態と同様である。
【００３５】
本実施形態において、前身頃３０１Ａと後身頃３０１Ｂとの脇線Ｗは、前身頃側及び後身頃側に傾斜せず、身頃部３０１の下縁に対して垂直に形成されている。そして、本実施形態では、身頃部３０１の脇線Ｗ上に、パッド３０３の下端部Ｔが固着されている。
【００３６】
図１０に、本実施形態において好適に使用可能なパッドの例を示す。本実施形態において、パッドは、図１０（ａ）に示すように、下側に端点を有する形状でもよいし、図１０（ｂ）に示すように、下端部が端点を有さない曲線状であってもよい。
【００３７】
本実施形態では、パッド３０３には刳り部が形成されていないが、通気部３０５が設けられている位置において、刳り部が形成されていてもよい。本発明において、刳り部の有無は、実現したい通気性の度合い又はデザインに応じて、適宜決定することができる。
【００３８】
このように、本発明では、デザイン等に応じて、通気部を着用時における前側及び後側の両方に形成してもよい。
【００３９】
（第４の実施形態）
図１１に、本発明の第４の実施形態に係る袖付き衣類４００を示す。本実施形態において、袖付き衣類４００は、半袖の肌着である。図１１に、本実施形態の衣類４００におけるパッド４０３の取り付け状態を説明する図を示す。図１１（ａ）は、衣類４００の展開図であり、具体的には、衣類４００の着用時に肌側となる裏面の展開図である。図１１（ｂ）は、衣類４００を裏返した状態の概略側面図である。図１１（ａ）及び（ｂ）では、パッド４０３の取り付け状態をわかりやすくするため、袖部は省略している。また、図１１（ａ）の展開図では、一方のパッドは省略している。
【００４０】
本実施形態では、身頃部４０１が筒状に形成されている。そのため、本実施形態では、脇線が存在せず、パッド４０３は、脇線上ではなく、脇刳り部４０４より下側の身頃部４０１の任意の箇所に固着されている。その他は、前記第３の実施形態と同様である。
【００４１】
このように、本発明では、身頃部の態様は特に制限されず、実現したいデザインに応じて適宜決定することができる。
【００４２】
（第５の実施形態）
図１２に、本発明の第５の実施形態に係る袖付き衣類５００を示す。図１２は、衣類５００の正面図である。本実施形態において、袖付き衣類５００は、襟ぐりから袖下にかけて斜めの切り替えが入り、袖口から襟ぐりまで切れ目なく袖が続いている、いわゆるラグランスリーブタイプの半袖シャツである。
【００４３】
図１３に、本実施形態の衣類５００におけるパッド５０３の取り付け状態を説明する図を示す。図１３（ａ）は、衣類５００の展開図であり、具体的には、衣類５００の着用時に肌側となる裏面の展開図である。図１３（ｂ）は、衣類５００を裏返した状態の概略側面図であって、パッド部分を拡大した図である。図１３（ａ）及び（ｂ）では、パッド５０３の取り付け状態をわかりやすくするため、袖部は省略している。また、図１３（ａ）の展開図では、一方のパッドは省略している。
【００４４】
図１３（ａ）及び（ｂ）に示すように、本実施形態は、着用時における後側に通気部５０５を有する例である。図１３（ａ）及び（ｂ）に示すように、本実施形態では、身頃部５０１を形成する前身頃５０１Ａ及び後身頃５０１Ｂ、並びに身頃部の脇刳り部５０４が、ラグランスリーブに対応した形状になっている。本実施形態において、それ以外のパッド５０３の取り付け状態等は、前記第１の実施形態と同様である。図１３（ｂ）において、図３（ｂ）と同一の部分には、同一の符号を付している。
【００４５】
また、図１４〜図１６に、ラグランスリーブの場合のパッドの取り付け状態のその他のバリエーションの図を示す。図１４〜図１６において、パッドの取り付け状態をわかりやすくするため、袖部は省略している。また、図１４（ａ）、図１５（ａ）及び図１６（ａ）の各展開図では、一方のパッドは省略している。
【００４６】
まず、図１４（ａ）及び（ｂ）は、着用時における前側に通気部６０５を有する例である。本例では、身頃部６０１を形成する前身頃６０１Ａ及び後身頃６０１Ｂ、並びに身頃部６０１の脇刳り部６０４がラグランスリーブに対応した形状になっている。本例において、それ以外のパッド６０３の取り付け状態等は、前記第２の実施形態と同様である。図１４（ｂ）において、図６（ｂ）と同一の部分には、同一の符号を付している。
【００４７】
次に、図１５（ａ）及び（ｂ）は、着用時における前側及び後側の両方に通気部７０５を有する例である。本例では、身頃部７０１を形成する前身頃７０１Ａ及び後身頃７０１Ｂ、並びに身頃部７０１の脇刳り部７０４がラグランスリーブに対応した形状になっている。本例において、それ以外のパッド７０３の取り付け状態等は、前記第３の実施形態と同様である。図１５（ｂ）において、図９（ｂ）と同一の部分には、同一の符号を付している。
【００４８】
次に、図１６（ａ）及び（ｂ）は、身頃部８０１が筒状に形成されている例である。本例では、身頃部８０１及び身頃部８０１の脇刳り部８０４がラグランスリーブに対応した形状になっている。本例において、それ以外のパッド８０３の取り付け状態等は、前記第４の実施形態と同様である。図１６（ｂ）において、図１１（ｂ）と同一の部分には、同一の符号を付している。
【００４９】
このように、本発明は、袖部の態様が特殊であるラグランスリーブタイプにも適用することができる。
【００５０】
（第６の実施形態）
図１７に、本発明の第６の実施形態に係る袖付き衣類９００を示す。図１７（ａ）は、衣類９００の展開図であり、具体的には、衣類９００の着用時に肌側となる裏面の展開図である。図１７（ｂ）は、衣類９００を裏返した状態の概略側面図である。図１７（ａ）及び（ｂ）では、パッドの取り付け状態をわかりやすくするため、袖部は省略している。また、図１７（ａ）の展開図では、一方のパッドは省略している。本実施形態に係る衣類９００は、胴周りが身体にフィットするように設計された、いわゆるプリンセスラインの半袖シャツである。図１７（ａ）に示すように、本実施形態では、身頃部９０１が、前身頃９０１Ａ、後身頃９０１Ｂ及び脇身頃９０１Ｃを含んでいる。
【００５１】
本実施形態では、パッド９０３の側辺Ｌの上部Ｌ１、及び、側辺Ｍの上部Ｍ１が、それぞれ身頃部９０１の脇刳り部９０４の周縁に取り付けられている。また、本実施形態では、パッド９０３の下端部Ｔが、脇刳り部９０４よりも下側において、前身頃９０１Ａと脇身頃９０１Ｃとの固着線Ｗ１上に取り付けられている。そして、本実施形態では、パッド９０３の側辺Ｍにおいて、前記上部の取り付け部Ｍ１と下端部Ｔとの間のパッド部分Ｍ２が、身頃部９０１から遊離可能となっており、前記パッド部分Ｍ２と、前記パッド部分Ｍ２に対応する身頃部９０１との間に、通気部９０５が形成されている。一方、パッド９０３の側辺Ｌは、前身頃９０１Ａ及び脇身頃９０１Ｃの固着線Ｗ１に沿って、身頃部９０１に固着されている。このように、本発明は、プリンセスラインの衣類にも適用可能である。
【００５２】
（第７の実施形態）
図１８に、本発明の第７の実施形態に係るタンクトップ１０００を示す。図１８（ａ）は、タンクトップ１０００の正面図であり、図１８（ｂ）は、タンクトップ１０００の側面図である。図１８（ａ）及び（ｂ）に示すように、本実施形態のタンクトップ１０００は、前身頃１００１Ａ及び後身頃１００１Ｂを含む身頃部１００１、並びに、パッド１００３を含む。
【００５３】
図１９に、本実施形態のタンクトップ１０００におけるパッド１００３の取り付け状態を説明する図を示す。図１９（ａ）は、タンクトップ１０００の展開図であり、具体的には、タンクトップ１０００の着用時に肌側となる裏面の展開図である。図１９（ｂ）は、タンクトップ１０００を裏返した状態の概略側面図である。図１９（ａ）の展開図では、一方のパッドは省略している。本実施形態において、パッド１００３の取り付け状態は、前記第１の実施形態と同様である。
【００５４】
なお、本実施形態では、前記第１の実施形態と同様の態様でパッドが取り付けられたタンクトップを例示して説明したが、本発明はこれに限定されず、前記実施形態２〜６及び後述する実施形態９と同様にしてパッドが取り付けられていてもよい。
【００５５】
（第８の実施形態）
図２０に、本発明の第８の実施形態に係るキャミソール１１００を示す。図２０（ａ）は、キャミソール１１００の正面図であり、図２０（ｂ）は、キャミソール１１００の側面図である。図２０（ａ）及び（ｂ）に示すように、本実施形態のキャミソール１１００は、前身頃１１０１Ａ及び後身頃１１０１Ｂを含む身頃部１１０１、並びに、パッド１１０３を含む。
【００５６】
図２１に、本実施形態のキャミソール１１００におけるパッド１１０３の取り付け状態を説明する図を示す。図２１（ａ）は、キャミソール１１００の展開図であり、具体的には、キャミソール１１００の着用時に肌側となる裏面の展開図である。図２１（ｂ）は、キャミソール１１００を裏返した概略側面図である。図２１（ａ）の展開図では、一方のパッドは省略している。本実施形態において、パッド１１０３の取り付け状態は、前記第１の実施形態と同様である。
【００５７】
このように、本発明は、キャミソールにも適用することができる。なお、本実施形態では、前記第１の実施形態と同様の態様でパッドが取り付けられたキャミソールを例示して説明したが、本発明はこれに限定されず、前記実施形態２〜６及び後述する実施形態９と同様にしてパッドが取り付けられていてもよい。
【００５８】
（第９の実施形態）
図２２に、本発明の第９の実施形態に係る袖付き衣類１２００を示す。本実施形態において、袖付き衣類１２００は、半袖の肌着である。図２２（ａ）は、衣類１２００の展開図であり、具体的には、衣類１２００の着用時に肌側となる裏面の展開図である。図２２（ｂ）は、衣類１２００を裏返した状態の部分概略側面図である。図２２（ａ）及び（ｂ）では、パッド１２０３の取り付け状態をわかりやすくするため、袖部は省略している。また、図２２（ａ）の展開図では、一方のパッドは省略している。本実施形態の衣類１２００は、身頃部１２０１、袖部（図示せず）及び一対の脇下部汗取りパッド１２０３を含む。本実施形態において、身頃部１２０１は、前身頃１２０１Ａ及び後身頃１２０１Ｂを含んでいる。
【００５９】
図２２（ａ）及び（ｂ）に示すように、本実施形態では、着用時における前側及び後側の両方に、通気部１２０５が形成されている。具体的には、本実施形態では、パッド１２０３が、両側の側辺Ｌ及びＭを有し、側辺Ｌの上部Ｌ１及び側辺ＭのＭ１が、それぞれ身頃部１２０１の脇刳り部１２０４の周縁に取り付けられ、パッド１２０３の下端部Ｔが、脇刳り部１２０４よりも下側で身頃部１２０１に取り付けられている。そして、本実施形態では、パッド１２０３の側辺Ｌ及びＭの両側において、前記上部の取り付け部Ｌ１及びＭ１を除いて身頃部１２０１に取り付けられていない。そのため、前記上部の取り付け部Ｌ１及びＭ１と、下端部Ｔとの間のパッド部分Ｌ２及びＭ２が、身頃部１２０１から遊離可能となっている。これにより、パッド１２０３の前記遊離可能な部分Ｌ２及びＭ２と、前記遊離可能な部分Ｌ２及びＭ２に対応する身頃部１２０１との間に、それぞれ通気部１２０５が形成されている。このように、通気部１２０５を着用時における前側及び後側の両方に設けることにより、通気性をより高めることができる。また、本実施形態において、パッド１２０３が脇の下にフィットし、脇の下の汗を効果的に吸収できることは、前記第１及び第２の実施形態と同様である。
【００６０】
本実施形態において、前身頃１２０１Ａと後身頃１２０１Ｂとの脇線Ｗは、前身頃側及び後身頃側に傾斜せず、身頃部１２０１の下縁に対して垂直に形成されている。そして、本実施形態では、身頃部１２０１の脇線Ｗ上に、パッド１２０３の下端部Ｔが固着されている。なお、本実施形態は、脇線Ｗがある形態には限定されず、例えば、前記第４の実施形態のように、脇線が存在しない筒状の身頃部であってもよい。
【００６１】
また、本実施形態は、通気部１２０５を、着用時における前側及び後側の両方に形成した形態であるが、これには制限されず、例えば、前記第１の実施形態又は前記第２の実施形態のように、前側及び後側のいずれか一方のみに通気部を有する形態でもよい。
【００６２】
図２３に、本実施形態において好適に使用可能なパッドの例を示す。図２３（ａ）に示すように、パッド１２０３は、折山線Ｎ１を有している。そして、身頃部１２０１に固着する際、パッド１２０３は、折山線Ｎ１よりも上部を折山線Ｎ１に沿って折り返した状態で固着されている。衣類１２００を着用した際、パッド１２０３の上部は、前述のように、折り返しによって、二層の生地で形成されるため、吸水性及び生地の強度を高くすることができる。
【００６３】
また、通気部１２０５が形成されている位置において、パッド１２０３に刳り部１２０６が形成されている。このように、通気部が形成されている位置において、パッドを刳り形状に形成することにより、空気が通りやすくなり、より通気性がよくなるため、好ましい。
【００６４】
パッド１２０３を身頃部１２０１に取り付ける際、パッド１２０３は、肌あたりの良さから、折山線Ｎ１よりも下部の表面が、肌側となることが好ましい。
【００６５】
また、図２４及び図２５に、本実施形態において好適に使用可能なパッドの他の例を示す。図２４（ａ）及び（ｂ）に示すパッド１３０３は、折山線Ｎ１よりも上部が、折山線Ｎ１に沿って折り返した際に、身頃部１２０１に固着する前記上部の取り付け部Ｌ１及びＭ１と同程度の長さである以外は、前記図２３のパッドと同様である。
【００６６】
図２５（ａ）及び（ｂ）に示すパッド１４０３は、折山線Ｎ１及びＮ２を有している。そして、身頃部１２０１に固着する際、パッド１４０３は、まず、折山線Ｎ２よりも上部を折山線Ｎ２に沿って折り返し、さらに、折山線Ｎ１よりも上部を折山線Ｎ１に沿って折り返した状態で固着されている。衣類１２００を着用した際、パッド１４０３の上部は、前述のように、２回の折り返しによって、三層の生地で形成されるため、吸水性及び生地の強度を高くすることができる。また、折山線Ｎ１と折山線Ｎ２とに沿った２回の折り返しによって、図２５（ａ）におけるパッド１４０３の上端部は、内部に織り込まれることになる。このため、前記上端部にほつれ等も生じにくい。
【００６７】
本実施形態では、パッド１２０３、１３０３及び１４０３に刳り部が形成されているが、通気部１２０５が設けられている位置において、刳り部が形成されていなくてもよい。本発明において、刳り部の有無は、実現したい通気性の度合い又はデザインに応じて、適宜決定することができる。
【００６８】
以上、本発明の具体例として、半袖の肌着、半袖シャツ、タンクトップ及びキャミソールをあげて本発明を説明したが、本発明は、これらの具体例で記載されたもののみに限定されるものではなく、種々の態様が可能である。例えば、上記の実施形態のような衣類以外にも、例えば、レオタード、水着、その他各種の衣類に適用できる。
【００６９】
実施形態を参照して本発明を説明したが、本発明は上記実施形態に限定されるものではない。本発明の構成や詳細には、本発明のスコープ内で当業者が理解し得る様々な変更をすることができる。
【００７０】
この出願は、２０１２年１１月２日に出願された日本出願特願２０１２−２４３１８６を基礎とする優先権を主張し、その開示の全てをここに取り込む。
【産業上の利用可能性】
【００７１】
本発明の上半身用衣類は、効果的に脇の下の汗を吸収可能であり、かつ、通気性がよく、その用途は限定されず広い分野で使用することができる。
【符号の説明】
【００７２】
１００、２００、３００、４００、１２００  袖付き衣類（半袖の肌着）
５００、９００  袖付き衣類（半袖シャツ）
１０００  タンクトップ
１１００  キャミソール
１０１、２０１、３０１、４０１、５０１、６０１、７０１、８０１、９０１、１００１、１１０１、１２０１  身頃部
１０１Ａ、２０１Ａ、３０１Ａ、５０１Ａ、６０１Ａ、７０１Ａ、９０１Ａ、１００１Ａ、１１０１Ａ、１２０１Ａ  前身頃
１０１Ｂ、２０１Ｂ、３０１Ｂ、５０１Ｂ、６０１Ｂ、７０１Ｂ、９０１Ｂ、１００１Ｂ、１１０１Ｂ、１２０１Ｂ  後身頃
１０２、２０２、３０２、４０２、５０２  袖部
１０３、２０３、３０３、４０３、５０３、６０３、７０３、８０３、９０３、１００３、１１０３、１２０３、１３０３、１４０３  汗取りパッド
１０４、２０４、３０４、４０４、５０４、６０４、７０４、８０４、９０４、１２０４  脇刳り部
１０５、２０５、３０５、５０５、６０５、７０５、９０５、１２０５  通気部
１０６、２０６、１２０６  刳り部
Ｌ  パッドの側辺
Ｍ  パッドの側辺
Ｔ  パッドの下端部
Ｗ  脇線
Ｗ１  固着線
Ｎ１、Ｎ２  折山線
【要約】
効果的に脇の下の汗を吸収可能であり、かつ、通気性がよい、上半身用衣類を提供する。本発明の上半身用衣類は、身頃部（１０１）及び一対の脇下部汗取りパッド（１０３）を含む上半身用衣類であって、パッド（１０３）は、左右両側に側辺を有し、パッド（１０３）の前記両側側辺の上部が、それぞれ身頃部（１０１）の脇刳り部（１０４）周縁に取り付けられ、パッド（１０３）の下端部が、脇刳り部（１０４）よりも下側で身頃部（１０１）に取り付けられ、パッド（１０３）の左右両側側辺の少なくとも一方において、前記上部の取り付け部を除いて身頃部（１０１）に取り付けられていないことにより、前記上部の取り付け部及び前記パッドの下端部の取り付け部の間の前記パッド部分が、身頃部（１０１）から遊離可能になっており、前記遊離可能な部分と、前記遊離可能な部分に対応する身頃部との間に通気部（１０５）が形成されていることを特徴とする。【図１】
0005578481.tif 000002
【図２】
0005578481.tif 000003
【図３】
0005578481.tif 000004
【図４】
0005578481.tif 000005
【図５】
0005578481.tif 000006
【図６】
0005578481.tif 000007
【図７】
0005578481.tif 000008
【図８】
0005578481.tif 000009
【図９】
0005578481.tif 000010
【図１０】
0005578481.tif 000011
【図１１】
0005578481.tif 000012
【図１２】
0005578481.tif 000013
【図１３】
0005578481.tif 000014
【図１４】
0005578481.tif 000015
【図１５】
0005578481.tif 000016
【図１６】
0005578481.tif 000017
【図１７】
0005578481.tif 000018
【図１８】
0005578481.tif 000019
【図１９】
0005578481.tif 000020
【図２０】
0005578481.tif 000021
【図２１】
0005578481.tif 000022
【図２２】
0005578481.tif 000023
【図２３】
0005578481.tif 000024
【図２４】
0005578481.tif 000025
【図２５】
0005578481.tif 000026